(57)【特許請求の範囲】
【請求項１】
前方が開口したキャビネット本体の下部に、出し入れ自在に第一の引出し部を設け、この第一の引出し部の前板がキャビネット本体の前記開口を開閉するようになし、かつ、この第一の引出し部の上方には、この第一の引出し部を開放した状態でのみ、出し入れ可能な小物入れ用の第二の引出し部を設けた収納キャビネットであって、
前記第二の引出し部は、収納棚と、前記キャビネット本体の内側壁の一側に固定したガイド金具とからなり、該ガイド金具は、前後方向に移動可能に前記収納棚を支持することを特徴とする収納キャビネット。
【発明の詳細な説明】
【０００１】
【発明の属する技術分野】
本発明は、システムキッチンのベースキャビネットのように床上に設置され、内部をボトルなどの収納部とした収納キャビネットに関する。
【０００２】
【従来の技術】
従来、システムキッチンにおけるベースキャビネットでは、前面に観音開き式に開放される一対の扉が設けられ、その内部が収納部とされていた。しかしこの観音開き式の扉を設けたものは、キャビネット本体の内奥部に収納している物の出し入れが困難であり、特にキャビネット本体内の前側に嵩張るものを収納した場合には、一度、これを取り出してからでないと、その奥に位置した目的物の出し入れができないという問題点があった。
【０００３】
また、この観音開き式の扉は、左右の扉の位置がずれたり、その間に隙間を生じたりし易く、その場合、見苦しいばかりか、キャビネット本体内の収納部の密閉性が悪くなり、ここから内部に虫などが侵入するおそれがあり、衛生面においても問題があった。
【０００４】
そこで、この点を改善するために、図５並びに図６に示すようにキャビネット本体２０の前面を覆う前面板を引出し２１の前板２１ａとした引出し式のものが、近年、普及してきている。（例えば、特開２０００−４１８７２号公報）
これは、キャビネット本体２０の内部の両側（図５において左右両側）に、一対の伸縮式のスライドレール２２，２２を取り付け、このスライドレール２２，２２の移動側に、上面が開放された引出し２１を固定保持させることにより、引出し２１をキャビネット本体２０内に出し入れ自在に収納するようにしたものである。
【０００５】
なお、この場合は、シンク２３からの排水を導く排水管２５は、図７に示すようにエルボー管２６を介してシンク２３の下側に取り付けられた排水トラップ２４の下端屈曲部２７に連結され、キャビネット本体２０の内部後側（図６において右側）に配置されている。従って、引出し２１は、キャビネット本体２０内に収納された時、その後部２１ｃが、排水トラップ２４の下側に位置するようになっている。
【０００６】
なお、図中、符号２１ｂは、引出しの前板２１ａに取り付けられた操作用の把手、２８は、キャビネット本体２０の前面の開口の上側に取り付けられた幕板を示す。
【０００７】
【特許文献１】
特開２０００−４１８７２号公報（第２−４頁、第１図、第４図）
【０００８】
【発明が解決しようとする課題】
上述した従来のキャビネットでは、一つの大きな引出ししかなかったので、調味料などの小瓶や、流し台廻りの小物備品などは、他の収納物と共にこの引出し内に収納せざるを得ず、他の物に紛れてしまうおそれがあると共に、スペースも無駄となり、さらにその出し入れも腰を屈めて低い位置で行わなくてはならないという問題点があった。
【０００９】
本発明は、これらの問題点の解決を課題とする。
【００１０】
【課題を解決するための手段】
上記の課題を解決するために、本発明は、前方が開口したキャビネット本体の下部に、出し入れ自在に第一の引出し部を設け、この第一の引出し部の前板がキャビネット本体の前記開口を開閉するようになし、かつ、この第一の引出し部の上方には、この第一の引出し部を開放した状態でのみ、出し入れ可能な小物入れ用の第二の引出し部を設けた収納キャビネットである。
【００１１】
特に、前記第二の引出し部を、収納棚と、前記キャビネット本体の内側壁の一側に固定したガイド金具とからなるものとし、このガイド金具は、前後方向に移動可能に前記収納棚を片持ち支持するものに限定したことを特徴とする。
【００１２】
【発明の実施の形態】
以下、本発明を図示した実施の形態に基づき詳細に説明する。なお、図では収納キャビネットとして天面にシンクが設けられた流し台キャビネットを例に示している。
【００１３】
図１は、本発明に係る収納キャビネットの斜視図、図２は、その天面を塞いでいるワークトップ２とシンク３を取り外した状態を示す。図示したように本発明が対象とするキャビネット本体１は、前面が開放された箱状に形成されたものであり、上面は隣接した他の収納キャビネット１０と共に、天板となるワークトップ２で塞がれている。そして、このワークトップ２のキャビネット本体１を覆う個所には、シンク落し込み孔２ａが設けられ、ここにシンク３が下方に突出するように取り付けられるようになっている。
【００１４】
シンク３下側のキャビネット本体１内には、図３並びに図４に示すように、排水トラップ４と、この排水トラップ４に連続した排水管５が設けられ、この排水管５は、キャビネット本体１の下側に設けられた蹴込み部１ａを貫通して床排水口（図示せず）に連通している。
【００１５】
ここにおいて、本発明では、キャビネット本体１内の下部に、第一の引出し部となる引出し６を出し入れ自在に設けている。この引出し６は、左右（図３において左右）に一対設けられ、それぞれの前板６ａはキャビネット本体１の前面板を兼ねるように、その前面開放部分を塞ぐようになっている。前板６ａの後方に連設された引出し６の本体部分は、上面が開放された箱状のものであり、それぞれが、キャビネット本体１内に取り付けられた左右一対の伸縮式のスライドレール９，９の移動側に、移動可能に取り付けられている。
【００１６】
また、この第一の引出し部の上側には、小物入れとなる第二の引出し部が設けられている。この第二の引出し部は、キャビネット本体１の内側壁１ｂの一側に固定されたガイド金具８と、このガイド金具８ひとつで前後方向（図４において左右方向）に移動可能に片持ち支持されたトレイ状の収納棚７とからなり、キャビネット本体１内の左右両側（図３において左右両側）に設けられている。
【００１７】
本発明の収納キャビネットは、上記の構成を有している。
【００１８】
なお、図において、符号６ｂは、引出し６の前板６ａに取り付けられた操作用の把手、１３は、キャビネット本体１前面の開口上側に取り付けられた幕板を示す。
【００１９】
上述したように本発明の収納キャビネットでは、キャビネット内の下側に第一の引出し部を設け、その上側に第二の引出し部を設けているので、キャビネット内のスペースが有効に活用され、収納量の増加が図られる。また、第二の引出し部は、第一の引出し部より小さく、かつ高いに位置に設けられているので、他の収納物の蔭に紛れてしまいがちな調味料などの小瓶や台所用小物などを、これらの収納物と分けて整然と収納することができると共に、その出し入れも腰を屈めることなく、容易に行うことができる。
【００２０】
なお、図示した実施の形態では、収納キャビネットとして上面にシンク３が設けられた流し台キャビネットを例示したが、本発明が採用可能なキャビネットは、内部が収納部とされたものであれば良く、流し台キャビネットに限定するものではない。
【００２１】
また、図示した実施の形態では、排水管５を避けるため、第一の引出し部として、引出し６，６が左右に一対設けられたものを例示したが、キャビネットの内部に配水管５などの障害物がない場合、この第一の引出し部は、一つの大きな引出しで構成されたものであっても良い。
【００２２】
【発明の効果】
以上説明したように、本発明のうち、請求項１記載の発明は、キャビネット本体内の下部に第一の引出し部を設け、その上方に第二の引出し部を設けたので、キャビネット本体内のデッドスペースが有効に活用され、収納量の増大が図られる。また、嵩高い収納物に紛れてしまいがちな調味料の小瓶や台所用小物などを分かり易いように整然と収納することができると共に、その出し入れも容易に行うことができるという効果がある。
【００２３】
請求項２記載の発明は、第二の引出し部をキャビネット本体の内側壁に取り付けられるガイド金具と、このガイド金具で前後方向に移動可能に支持される収納棚とで形成したので、側壁が板で構成された通常のキャビネットに後付けすることができ、コスト低廉に収納量の増加と、取扱性の向上に対応できるという効果がある。
【図面の簡単な説明】
【図１】本発明に係る収納キャビネットの一例を示した斜視図である。
【図２】図１の要部の斜視図である。
【図３】図１に示したキャビネットの正面図である。
【図４】図３のＡ−Ａ線の断面図である。
【図５】従来例を示した正面図である。
【図６】図５のＢ−Ｂ線の断面図である。
【符号の説明】
１  キャビネット本体
２  ワークトップ
３  シンク
４  排水トラップ
５  排水管
６  引出し
６ａ  引出しの前板
７  収納棚
８  ガイド金具
９  スライドレール
１０  他の収納キャビネット
【図１】
0004537648.tif 000002
【図２】
0004537648.tif 000003
【図３】
0004537648.tif 000004
【図４】
0004537648.tif 000005
【図５】
0004537648.tif 000006
【図６】
0004537648.tif 000007